(57)【特許請求の範囲】
【請求項１】
外部電源に接続した差込プラグが接続する通電コネクタ部を備えた壁部材と、
該壁部材にもうけられ、該通電コネクタ部に光を照射する照明部と、
該照明部を該壁部材に接合・固定する、弾性変形可能な両面接着テープを有する接合部と、
を有する充電装置であって、
該照明部は、光を発する発光部、該発光部を固定する基板部、該基板部を支持・固定する基板固定部材、該発光部が発する光を透過するとともに該発光部及び該基板部をその内部に収容する光透過カバーを備えた本体部と、該壁部材を貫通するとともに該発光部に通電する電気が流れるコネクタ部と、を有し、
該壁部材が、該コネクタ部が該壁部材を貫通する貫通孔の外周に、該照明部に対して離反した表面を備えた段差部を有し、
該両面接着テープが圧縮した状態で該段差部に配されるとともに、該壁部材と該基板固定部材の底面とが該段差部の外周で平面同士で密着している密着部が環状をなしていることを特徴とする充電装置。
【請求項２】
前記基板固定部材は、ネジ部材、クリップ部材より選ばれる係止部材により前記壁部材に圧接した状態で係止される請求項１記載の充電装置。
【請求項３】
前記光透過カバーが前記基板固定部材に係止ツメで固定される請求項１〜２のいずれか１項に記載の充電装置。
【請求項４】
車両の充電装置である請求項１〜３のいずれか１項に記載の充電装置。
【発明の詳細な説明】
【技術分野】
【０００１】
本発明は、外部電源に接続した差込プラグが接続されて通電する充電装置に関する。
【背景技術】
【０００２】
ＥＶ（Ｅｌｅｃｔｒｉｃ  Ｖｅｈｉｃｌｅ）やＰＨＶ（Ｐｌｕｇ−ｉｎ  Ｈｙｂｒｉｄ  Ｖｅｈｉｃｌｅ）などの車両は、車載バッテリに蓄電した電気（電力）を動力源として走行する。これらの車両は、車載バッテリを充電するための充電装置を備えている。充電装置は、車両の外面にもうけられた充電装置の充電用コネクタに、外部電源に接続した差込プラグを接続して行われる。
【０００３】
充電装置は、差込プラグが接続する充電用コネクタが、車両の外表面に開口した充電口の内部に形成された収容凹部の内部に形成される。そして、収容凹部には、照明装置が組み付けられる。照明装置を組み付けることで、差込プラグを操作するときに、充電用コネクタが視認可能になる。
【０００４】
照明装置は、例えば、特許文献１に記載されている。特許文献１には、充電コネクタの受電側コネクタ周辺に設けられ、且つ構成に光源を含む充電コネクタ用照明ユニットにおいて、光源を光透過性ハウジングに収容し、光透過性ハウジングの光透過部を非光透過性カバーにて着脱自在に覆い、非光透過性カバーに光源からの光を通過させ受電側コネクタを照射する光通過窓を貫通形成する充電コネクタ用照明ユニットが記載されている。
【先行技術文献】
【特許文献】
【０００５】
【特許文献１】特許５６８４６００号
【発明の概要】
【発明が解決しようとする課題】
【０００６】
車両のように屋外で使用する装置では、雨水の浸入を防止する機構が求められている。特許文献１に記載の照明装置では、ハーネスを介して侵入する水をパッキンで止めるという光源自体の止水構造が記載されている。
従来の照明装置では、この光源自体の止水構造のみであり、光源と意匠カバーとの間の止水については何らの記載もされていない。
【０００７】
光源と意匠カバーとの間の止水構造として、クッション性をもつシール部材を両者の間に挟み込むことが一般的に行われる。特に、意匠カバーの表面に光源が配置された構成の照明装置では、意匠カバーの表面上にシール部材を配置し、その表面上に光源が配置される。
【０００８】
シール部材を挟み込む構成では、シール部材が露出しているため、シール部材に直接水圧が加わる。そうすると、シール部材自身の劣化が促進される。また、シール部材の厚みの分だけすき間が生じて見栄えが悪化する。
さらに、シール部材は、止水構造を得るために環状であることが多く、このような形状は組み付け性（貼り付け時の作業性）が低いという問題があった。
【０００９】
本発明は上記事情に鑑みてなされたものであり、光源（照明部）と、光源が固定される意匠カバー（壁部材）との間の止水性に優れた充電装置を提供することを課題とする。
【課題を解決するための手段】
【００１０】
上記課題を解決する本発明の充電装置は、
外部電源に接続した差込プラグが接続する通電コネクタ部を備えた壁部材と、
該壁部材にもうけられ、該通電コネクタ部に光を照射する照明部と、
該照明部を該壁部材に接合・固定する両面接着テープを有する接合部と、
を有する充電装置であって、
該照明部は、光を発する発光部を備えた本体部と、該壁部材を貫通するとともに該発光部に通電する電気が流れるコネクタ部と、を有し、
該壁部材と該照明部の対向面の少なくとも一方が、該コネクタ部が該壁部材を貫通する該貫通孔の外周に、他方に対して離反した段差部を有し、該両面接着テープが圧縮した状態で該段差部に配されるとともに、該壁部材と該照明部とが該段差部の外周で密着していることを特徴とする。
【００１１】
本発明の充電装置は、差込プラグが接続する通電コネクタ部を備えた壁部材に、通電コネクタ部に光を照射する照明部がもうけられている。このため、通電コネクタ部に光を照射することができ、通電コネクタ部の差し込み位置を確実に視認できる。
【００１２】
そして、本発明の充電装置は、壁部材と照明部の対向面の少なくとも一方が、コネクタ部が壁部材を貫通する貫通孔の外周に、他方に対して離反した段差部を有し、接合部の両面接着テープが圧縮した状態で段差部に配されるとともに、壁部材と照明部とが段差部の外周で密着している。壁部材と照明部とが段差部の外周で密着していることで、壁部材と照明部との間にすき間が生じなくなっており、すき間を介してコネクタ部及び貫通孔側に異物が侵入することが抑えられている。
【００１３】
その上で、本発明の充電装置は、水等の液体（不定形の異物）や微細な異物が壁部材と照明部との間を介して侵入しても、圧縮した状態で段差部に設けられた両面接着テープにより、更なる侵入が抑えられる。
この結果、本発明の充電装置は、異物が貫通孔を介して充電装置１の内部に侵入することが抑えられる効果を発揮する。
【００１４】
また、本発明の充電装置は、壁部材と照明部とが段差部の外周で密着していることから、壁部材と照明部との間にすき間が生じなくなっている。この構成は、充電装置の照明部を見たときにすき間が視認できない構成であり、見栄えの低下が抑えられている。
【図面の簡単な説明】
【００１５】
【図１】実施形態の充電装置を示す正面図である。
【図２】図１中のＩＩ−ＩＩ断面を示す断面図である。
【図３】図１中のＩＩＩ−ＩＩＩ断面を示す断面図である。
【発明を実施するための形態】
【００１６】
以下、具体的な実施形態を用いて本発明を説明する。詳しくは、本発明の充電装置の実施形態として、ＥＶやＰＨＶなどの電動車両に搭載された車載バッテリの充電装置に適用した形態を用いて説明する。なお、本発明の充電装置は、電動車両の車載バッテリの充電装置以外の充電装置に適用しても良い。
【００１７】
［実施形態］
本形態は、照明部２を備えた車両用充電装置１（以下、充電装置と称する。）である。
（充電装置）
充電装置１は、図１に示したように、開口部１０、収容凹部１１、凹部内壁１２、充電用コネクタ１３（１３０，１３１）、照明部２、両面接着テープ３などを備えている。図１は、車両用充電装置１を、車両の外部から充電用コネクタ１３等の開口部１０を視認した状態の正面図である。なお、本形態の充電装置１の特に言及しない構成については、従来の充電装置と同様な構成である。
開口部１０は、本形態の充電装置１は、電動車両の車体の外表面に開口し、車両内部側にくぼんだ収容凹部１１が形成される。
【００１８】
開口部１０は、フタ部材（例えば、リッド）が接続部材（例えば、ヒンジ）を介して開閉可能に取り付けられている。フタ部材及び接続部材は、いずれも図示しない。フタ部材を閉じた状態では、開口部１０から収容凹部１１内に雨水が浸入するのを防止できる。フタ部材を開いた状態では、収容凹部１１及び充電用コネクタ１３が露出し、視認及び操作（差込プラグの接続）が可能となる。
【００１９】
収容凹部１１は、凹部内壁１２により区画される。凹部内壁１２は、収容凹部１１の内表面を形成する。収容凹部１１は、その底面に充電用コネクタ１３が収容配置されている。凹部内壁１２は、壁部材に相当する。
【００２０】
充電用コネクタ１３は、第１充電用コネクタ１３１と、第２充電用コネクタ１３２と、を有する。第１充電用コネクタ１３１は、家庭用電源等の交流電流で充電するときに用いられる。第２充電用コネクタ１３２は、充電スタンド等の直流電流で充電するときに用いられる。充電用コネクタ１３（１３０，１３１）は、通電コネクタ部に相当する。
【００２１】
充電用コネクタ１３は、外部電源に接続した差込プラグが接続する。そして、充電用コネクタ１３及び差込プラグを介して、外部電源から充電電流が充電装置に通電する。
凹部内壁１２は、コネクタ２７が貫通する貫通孔１４が開口する。貫通孔１４は、照明部２が組み付けられる位置に開口する。
【００２２】
貫通孔１４の開口を区画する開口部の端縁部は、図２〜図３に断面図で示したように、開口部が車両内部側に位置する略クランク状に曲成した段差部１５が形成される。
【００２３】
段差部１５は、その外周よりも車両内部側に位置するように形成される。段差部１５は、貫通孔１４の開口部に沿って環状をなしている。段差部１５の幅（貫通孔１４の開口での径方向の長さ）は、限定されるものではないが、後述の両面接着テープ３を接着可能な幅である。また、段差部１５の外周（図２〜図３の凹部内壁１２の表面１２ａに相当）は、照明部２の基板固定部材２４の底面２４ａと当接可能な平面をなしている。
【００２４】
段差部１５の深さ（段差部１５の表面１５ａと凹部内壁１２の表面１２ａとの差）は、限定されるものではない。少なくとも両面接着テープ３の厚みよりも薄い。詳細には、後述の両面接着テープ３が圧縮した状態で発生する弾性力により決定される。
【００２５】
（照明部）
照明部２は、図２〜４に示したように、照明本体部２０、光源部２１、光透過カバー２２、照明カバー２３、基板固定部材２４，コネクタ２７などを備えている。図２は図１中のＩＩ−ＩＩ断面を、図３は図１中のＩＩＩ−ＩＩＩ断面を、それぞれ示す断面図である。
【００２６】
照明本体部２０は、光源部２１、光透過カバー２２、照明カバー２３、基板固定部材２４等を備え、充電用コネクタ１３に光を照射する。
【００２７】
光源部２１は、光を発するＬＥＤ２１０と、ＬＥＤ２１０が組み付けられる基板２１１と、を備える。ＬＥＤ２１０は、充電用コネクタ１３に照射される光を発する。光源部２１を構成するＬＥＤ２１０及び基板２１１は、従来の照明装置と同様とすることができる。ＬＥＤ２１０は、一つであっても複数個を設置しても、いずれでもよい。ＬＥＤ２１０は、充電用コネクタ１３以外に照射される光を発してもよい。充電用コネクタ１３以外とは、例えば、差込プラグを差し込もうとする操作者の足下周辺を挙げることができる。
【００２８】
光透過カバー２２は、ＬＥＤ２１０が発した光を透過する透明樹脂よりなる。光透過カバー２２は、基板固定部材２４と組み付けられて、光源部２１を内部に収容する空間を区画する。光透過カバー２２は、略槽状の形状を備える。光透過カバー２２と基板固定部材２４とは、係止ツメで係止（固定）される。
【００２９】
基板固定部材２４は、基板２１１を支持・固定する基板固定部２４０を備えた略板状の部材である。基板固定部材２４は、充電装置１に組み付けられたときに、その底面２４ａが凹部内壁１２の表面１２ａと当接する。
【００３０】
基板固定部２４０は、基板２１１を支持可能な形態で設けられる。基板固定部２４０は、基板固定部材２４の板状の広がる方向に対し、立設した状態で設けられる。基板固定部２４０は、基板２１１を厚さ方向や幅方向（基板の広がる方向）の両端に設けられ、基板２１１を支持（挟持）する。この形態では、一対の基板固定部２４０の間に基板２１１を差し込むことで、基板２１１の組み付けを行うことができる。
【００３１】
基板固定部材２４は、固定部ネジ２５が貫通する貫通孔２６が開口する。固定部ネジ２５は、貫通孔２６を貫通した状態で凹部内壁１２に係止（具体的には、螺合）し、基板固定部材２４が凹部内壁１２に圧接した状態（密着した状態）で固定される。
【００３２】
固定部ネジ２５により基板固定部材２４を凹部内壁１２に係止する構成は、係止部に相当する。そして、固定部ネジ２５は、ネジ部材に相当する。なお、本形態では係止部として固定部ネジ２５を用いたが、基板固定部材２４を凹部内壁１２に付勢する（圧接状態に保持する）クリップ部材を用いてもよい。
【００３３】
光透過カバー２２の基板固定部材２４との当接端部であって、ＬＥＤ２１０が発した光の照射方向での光透過カバー２２の端部は、その厚さが変化する段部２２０を有する。この段部２２０に、基板固定部材２４の端部が嵌合する。段部２２０の先端面２２０ａは、基板固定部材２４の底面２４ａと一致するように形成されている。
さらに、段部２２０を有することで、ＬＥＤ２１０が発した光の一部が段部２２０の先端まで導光される。この導光により、段部２２０が形成されていない場合と比較して、発光面積を広げることができる。
【００３４】
照明カバー２３は、ＬＥＤ２１０が発した光の透過を規制する半透明乃至不透明の樹脂よりなる。照明カバー２３は、光透過カバー２２を覆うように設けられ、照明カバー２３を透過する光の照射方向を制御する。本形態では、充電用コネクタ１３を照射可能な状態で、光透過カバー２２を被覆する。照明カバー２３も、基板固定部材２４に係止（固定）される。
照明本体部２０は、その内部に、ＬＥＤ２１０が発した光を反射する反射部材を設けても良い。
【００３５】
コネクタ２７は、ＬＥＤ２１０が光を発するための電気が流れる。コネクタ２７は、照明本体部２０の基板固定部材２４の底面２４ａから突出して設けられている。コネクタ２７は、基板固定部材２４の底面２４ａに対して交差する方向（詳しくは、垂直な方向）に伸びる。コネクタ２７は、コネクタ部に相当する。
【００３６】
コネクタ２７は、基板固定部材２４の底面２４ａからのびる筒部２７０と、筒部２７０の軸芯部に位置する電気が流れる導電ピン２７１と、筒部２７０の軸芯部にもうけられた絶縁部２７２と、を有する。絶縁部２７２は、導電ピン２７１と筒部２７０の間に介在し、照明本体部２０の内部に異物の侵入を防ぐ。
【００３７】
（両面接着テープ）
両面接着テープ３は、照明部２の基板固定部材２４の底面２４ａを凹部内壁１２の表面１２ａに接合・固定する。両面接着テープ３は、厚さ方向の両面に接着面を有する。また、両面接着テープ３は、厚さ方向に弾性変形可能に形成されている。両面接着テープ３は、発泡樹脂の両面に接着面が形成された構成を有する。両面接着テープ３は、接合部に相当する。
両面接着テープ３は、貫通孔１４の外周で、段差部１５に沿った環状の外周形状を有する。
両面接着テープ３は、一方の表面が段差部１５の表面１５ａに接合する。他方の表面は、基板固定部材２４の底面２４ａに接合する。
【００３８】
両面接着テープ３は、段差部１５の深さよりも厚いことで、照明部２が凹部内壁１２に組み付けられたときに、圧縮された状態となる。このとき、両面接着テープ３は、段差部１５の表面１５ａと基板固定部材２４の底面２４ａとを互いに離反する方向（圧縮状態が開放する方向）に応力を付与する。両面接着テープ３は、この反発力により、表面１５ａと底面２４ａとの間のシール性も発揮する。すなわち、径方向外方から内方に向かって進む異物が貫通孔１４に到達することを防止する。
【００３９】
（本形態の作用効果）
本形態の充電装置１は、外部電源に接続した差込プラグが接続する充電用コネクタ１３が形成された凹部内壁１２と、凹部内壁１２にもうけられ、充電用コネクタ１３に光を照射する照明部２と、照明部２を凹部内壁１２に接合・固定する両面接着テープ３と、を有する。この構成によると、凹部内壁１２に固定した照明部２が充電用コネクタ１３に光を照射することができ、差込プラグの差し込み位置を確実に視認できる。充電装置１が暗い場所にあっても（充電装置１を搭載した車両が暗い場所に駐車した状態であっても）、差込プラグの差し込みを確実に行うことができる。
【００４０】
また、本形態の照明部２は、光を発する光源部２１を備えた照明本体部２０と、凹部内壁１２を貫通するとともに光源部２１に通電する電気が流れるコネクタ２７と、を有する。そして、凹部内壁１２の貫通孔１４の開口を区画する開口部の端縁部に、照明部２の基板固定部材２４の底面２４ａに対して離反した段差部１５を有し、この段差部１５に両面接着テープ３が圧縮した状態で配されている。さらに、段差部１５の外周では、凹部内壁１２の表面１２ａと基板固定部材２４の底面２４ａとが密着している。
【００４１】
すなわち、本形態の充電装置１では、凹部内壁１２の表面１２ａと基板固定部材２４の底面２４ａとが密着しており、照明部２が凹部内壁１２の表面１２ａとの間にすき間を生じることなく密着する。つまり、照明部２の底面２４ａと凹部内壁１２の表面１２ａとがすき間を生じることなく密着することで、このすき間を介してコネクタ２７側に異物が侵入することが抑えられる。仮に、水等の液体（不定形の異物）や微細な異物が両表面２４ａ，１２ａの間を介して侵入しても、段差部１５に設けられた両面接着テープ３により、更なる侵入が抑えられる。この結果、本形態の充電装置１は、異物が貫通孔１４を介して車両の内部に侵入することが抑えられる。
【００４２】
また、本形態の充電装置１では、貫通孔１４の外周で凹部内壁１２の表面１２ａと基板固定部材２４の底面２４ａとが密着している。そして、基板固定部材２４の底面２４ａの外周が凹部内壁１２の表面１２ａとの間に、すき間を生じることなく密着している。この構成は、充電装置１の収容凹部１１を見たときにすき間が視認できない構成であり、見栄えの低下が抑えられている。
【００４３】
さらに、本形態の充電装置１は、両面接着テープ３を凹部内壁１２の表面１２ａ側に配していることから、照明部２のコネクタ２７を貫通孔１４に差し込むように組み付けを行うことができる。つまり、凹部内壁１２の表面１２ａ側からの組み付け作業が可能となり、照明部２の組み付けの作業性が向上する。
【００４４】
加えて、両面接着テープ３を凹部内壁１２の表面１２ａ側に接合した状態で、照明部２を組み付けることが可能となる。この場合、凹部内壁１２に貼り付けられた両面接着テープ３を目標にして照明部２を挿入でき、照明部２の組み付けの作業性がより向上する。
【００４５】
本形態の充電装置１は、段差部１５が、凹部内壁１２に設けられている。この構成によると、両面接着テープ３を凹部内壁１２の表面１２ａ側に貼り付ける場合に、貼り付け位置を段差部１５を目標とすることが可能となり、照明部２の組み付けの作業性がより向上する。
【００４６】
本形態の充電装置１は、段差部１５と、凹部内壁１２及び照明部２とが密着した密着部は、環状をなしている。この構成によると、段差部１５及び密着部が環状をなすことで、照明部２の底面２４ａと凹部内壁１２の表面１２ａとの間にすき間が全周にわたって生じなくなり、異物が貫通孔１４を介して車両の内部に侵入することが確実に抑えられる。
【００４７】
本形態の充電装置１は、固定部ネジ２５が貫通孔２６を貫通した状態で凹部内壁１２に螺合することで、基板固定部材２４が凹部内壁１２に固定される。この構成によると、基板固定部材２４及び照明部２が確実に凹部内壁１２に固定される。また、段差部１５の外周において、凹部内壁１２の表面１２ａと基板固定部材２４の底面２４ａとが密着することができる。
【００４８】
［変形形態１］
上記の実施形態では、凹部内壁１２に段差部１５が形成されているが、基板固定部材２４に設けても良い。この形態では、上記の実施形態の凹部内壁１２の表面１２ａと照明部２の底面２４ａとが逆転した構成となるのみであり、実施形態と同様の効果を発揮できる。
すなわち、凹部内壁１２と基板固定部材２４の対向面１２ａ，２４ａの少なくとも一方に段差部１５を設けてもよい。
【００４９】
［変形形態２］
上記の各形態では、照明部２が固定部ネジ２５で凹部内壁１２に固定されているが、これら以外の方法で固定しても良い。例えば、凹部内壁１２及び照明部２が密着した密着部を、溶着して固定してもよい。この形態では、密着部がより異物の侵入を抑えることができ、上記の各形態と同様以上の効果を発揮できる。
【符号の説明】
【００５０】
１：充電装置              １０：開口部
１１：収容凹部            １２：凹部内壁            １３：充電用コネクタ
１４：貫通孔              １５：段差部
２：照明部                ２０：照明本体部
２１：光源部              ２１０：ＬＥＤ            ２１１：基板
２２：光透過カバー        ２３：照明カバー          ２４：基板固定部材
２５：固定部ネジ          ２６：貫通孔
２７：コネクタ
３：両面接着テープ
【図１】
0006504399.tif 000002
【図２】
0006504399.tif 000003
【図３】
0006504399.tif 000004